(57)【要約】【課題】  防水性を維持すると共に、表示内容の変更が容易に行える表示体を提供する。【解決手段】  本体が透明なプラスチック製の表側シート部２ａ及び裏側シート部２ｂを重ね合わせて形成した袋状のケース２であり、ケース２内には開口部２ｃを通じて出し入れ可能である表示用紙４を差し入れてあり、開口部２ｃの開口端の近傍内面にケース２内を密閉すると共に開口部２ｃを開閉するための密閉用凹凸ファスナー３を設けてあり、密閉用凹凸ファスナー３が凸条のファスナー部材３ａと凹条のファスナー部材３ｂとからなり、凸条のファスナー部材３ａと凹条のファスナー部材３ｂとは互いに嵌合可能である。【選択図】        図１
0003172910.tif 000002
【実用新案登録請求の範囲】
【請求項１】
プラスチック製の四角形状の表側シート部及び裏側シート部を互いに重ね合わせて袋状に形成してあるケースと、このケースに設けてある開口部を開閉するための密閉用凹凸ファスナーと、上記ケース内に上記開口部を通じて出し入れ可能に収納してある表示用紙とを備えており、
上記ケースの表側シート部及び裏側シート部のうち、少なくとも上記表側シート部が透明であり、
上記密閉用凹凸ファスナーは、上記開口部の開口端の近傍であってかつ上記表側シート部及び裏側シート部のそれぞれの対向面に形成されていると共に、互いに嵌合する凹条のファスナー部材と凸条のファスナー部材からなり、
上記表示用紙はその表示面に表示情報を表示してある
ことを特徴とする飲食店用の表示体。
【請求項２】
ケースには少なくともその一辺に取付け具を取り付けてあり、上記ケースを上記取付け具によって保持体に保持状態で表示可能とすることを特徴とする請求項１記載の飲食店用の表示体。
【請求項３】
複数のケースを連結具によって連結して帯状の表示体部を構成してあって、最上段に位置しているケースには取付け具を取り付けると共に、このケースを保持体に保持した状態で表示可能とすることを特徴とする請求項１記載の飲食店用の表示体。
【請求項４】
複数のケースを連結具によって連結して帯状の表示体部を構成してあって、この表示体部が上記連結具を中心として折り曲げ可能であることを特徴とする請求項１記載の飲食店用の表示体。
【請求項５】
複数のケースを連結具によって連結して帯状の表示体部を構成してあって、この表示体部がスタンドの頂部に上記連結具を中心として折り曲げられた状態で設置可能であることを特徴とする請求項１記載の飲食店用の表示体。
【請求項６】
連結具は接続部材と、その両端に接続してあるクリップとからなり、両クリップが隣接するケースの端辺を挟持可能であることを特徴とする請求項３乃至請求項５のいずれかに記載の飲食店用の表示体。
【考案の詳細な説明】
【技術分野】
【０００１】
この考案は、飲食店において料理の案内、広告宣伝などのツールとして利用される表示体に関するものである。
【背景技術】
【０００２】
ファミリーレストランや居酒屋などでは、予め卓上に紙製のランチョンマットが敷かれている例が多い。このランチョンマットにはその店が推薦案内するメイン料理の写真や図柄、また店の広告宣伝文などの情報がプリントなどによって表示されている。
例えば実用新案登録第３０８７７１４号公報に記載の「テーブルマット」（以下「従来例１」という。）は、本体を構成するシートが紙、樹脂又は布製であって、シート表面又は裏面に広告情報と共にサービス情報が表示されているものである。
また、実用新案登録第３１５０２２８号公報に記載の「マット」（以下「従来例２」という。）は、広告・宣伝のために配布を要するものなど薄物を２枚のシートによりラミネート加工し、ランチョンマットやデスクマットなどとして利用するものである。
【先行技術文献】
【特許文献】
【０００３】
【特許文献１】実用新案登録第３０８７７１４号公報
【特許文献２】実用新案登録第３１５０２２８号公報
【考案の概要】
【考案が解決しようとする課題】
【０００４】
従来例１は、シートが紙製である場合には安価であり使い捨てが可能であるから、衛生面の観点からは望ましいものの、防水性、環境・省資源の観点からは改善の必要がある。また、従来例２は、ラミネート加工するので防水性の観点から優れているが、薄物上に表示された広告・宣伝などのサービスや物品の表示情報を交換する必要がある場合にはマット全体を交換する必要があり、表示の変更に対してその対応を容易にするためにはコストがかかる課題がある。
この考案の目的は、防水性を維持すると共に、表示内容の変更が容易に行える表示体を提供することにある。
【課題を解決するための手段】
【０００５】
この考案に係る飲食店用の表示体の第１の特徴は、プラスチック製の四角形状の表側シート部及び裏側シート部を互いに重ね合わせて袋状に形成してあるケースと、このケースに設けてある開口部を開閉するための密閉用凹凸ファスナーと、上記ケース内に上記開口部を通じて出し入れ可能に収納してある表示用紙とを備えていることにある。上記ケースの表側シート部及び裏側シート部のうち、少なくとも上記表側シート部が透明である。上記密閉用凹凸ファスナーは、上記開口部の開口端の近傍であってかつ上記表側シート部及び裏側シート部のそれぞれの対向面に形成されていると共に、互いに嵌合する凹条のファスナー部材と凸条のファスナー部材からなる。上記表示用紙はその表示面に提供する商品の写真、イラストなどによる商品情報やサービス情報などを含む表示情報を表示してある。
この考案に係る飲食店用の表示体の第２の特徴は、上記第１の特徴を備えていると共に、ケースの少なくともその一辺に取付け具を取り付けてあり、上記ケースを上記取付け具によって保持体に固着や吊り下げなどの保持状態で表示可能とすることにある。
この考案に係る飲食店用の表示体の第３の特徴は、上記第１の特徴を備えていると共に、複数のケースを連結具によって連結して帯状の表示体部を構成してあって、最上段に位置しているケースには取付け具を取り付けると共に、このケースを保持体に保持した状態で表示可能とすることにある。
この考案に係る飲食店用の表示体の第４の特徴は、上記第１の特徴を備えていると共に、複数のケースを連結具によって連結して帯状の表示体部を構成してあって、この表示体部が上記連結具を中心として折り曲げ可能であることにある。
この考案に係る飲食店用の表示体の第５の特徴は、上記第１の特徴を備えていると共に、複数のケースを連結具によって連結して帯状の表示体部を構成してあって、この表示体部が案内用又は看板用のスタンドの頂部に上記連結具を中心として折り曲げられた状態で設置可能であることにある。
この考案に係る飲食店用の表示体の第６の特徴は、上記第３、４又は５のいずれかの特徴を備えていると共に、連結具が接続部材と、その両端に接続してあるクリップとからなり、両クリップが隣接するケースの端辺を挟持可能であることにある。
【考案の効果】
【０００６】
この考案に係る飲食店用の表示体によれば、開口部を開閉する密閉用凹凸ファスナーによってケース内を密閉することができるので、確実にケース内への浸水を阻止することができるので防水機能が維持でき、また、密閉性を確保しながら、密閉用凹凸ファスナーの開閉操作により表示用紙の差し替えが可能であるので、用途や使用場所に応じた表示情報の変更がし易くなる。
この考案に係る飲食店用の表示体によれば、取付け具を取り付けることにより、安定した表示状態を維持できる。
この考案に係る飲食店用の表示体によれば、連結具を用いて複数のケースを帯状に並べるので、表示スペースの拡大が図られ、多量の表示情報を提供することができると共に、多種多様な内容を有する表示情報の内容を提供することができる。
この考案に係る飲食店用の表示体によれば、表示体部をスタンドに設置することにより、客の誘引の向上につながる。
この考案に係る飲食店用の表示体によれば、連結具の両クリップが隣接するケースの端辺を挟持可能であるから、表示前に又は表示中に連なるケースの数を任意に増減して、表示情報の内容を多種多様なものにすることができる。
【図面の簡単な説明】
【０００７】
【図１】この考案に係る飲食店用の表示体の第１の実施形態を示す一部切欠正面図である。
【図２】図１のＩＩ−ＩＩ線拡大断面図であって、中間を省略している図である。
【図３】図１のＩＩＩ−ＩＩＩ線拡大断面図であって、中間を省略している図である。
【図４】この考案に係る飲食店用の表示体の第２の実施形態を示す正面図である。
【図５】この考案に係る飲食店用の表示体の第３の実施形態を縮小して示す一部切欠正面図である。
【図６】この考案に係る飲食店用の表示体の第４の実施形態の使用状態を縮小して示す一部切欠正面図である。
【図７】この考案に係る飲食店用の表示体の第４の実施形態を縮小して示す側面図である。
【考案を実施するための形態】
【０００８】
この考案に係る飲食店用の表示体の第１の実施形態を図１〜図３を参照して説明する。
各図に示す表示体１は、プラスチック製の四角形状の表側シート部２ａ及び裏側シート部２ｂを互いに重ね合わせて袋状に形成してあるケース２と、このケースに設けてある開口部２ｃを開閉するための密閉用凹凸ファスナー３と、上記ケース内に上記開口部を通じて出し入れ可能に差し入れてある表示用紙４とを備えている。
【０００９】
図１〜図３に示すケース２において、表側シート部２ａ及び裏側シート部２ｂは透明な長方形状のプラスチック製の可撓性を有するフィルムによって形成されている。表裏両側のシート部２ａ，２ｂは開口部２ｃを残してその外周端部がヒートシールされ、溶着部２ｄとなっている。
【００１０】
図１及び図２に示す密閉用凹凸ファスナー３は、ケース２内部を密閉することができ、そして、例えばケース上にこぼした水、アルコール飲料及び調味料液などの液体がケース内部に浸入するのを阻止するための手段である。
密閉用凹凸ファスナー３は、互いに嵌合する凸条のファスナー部材３ａと凹条のファスナー部材３ｂからなるスライド式ジッパーである。密閉用凹凸ファスナー３は、上記開口部２ｃの開口端の近傍であってかつ表側シート部２ａ及び裏側シート部２ｂのそれぞれの対向面である内面に設けられる。図２に示す例では、一方の凸条のファスナー部材３ａは表側シート部２ａの内面に、他方の凹条のファスナー部材３ｂは裏側シート部２ｂの内面にそれぞれ形成されている。そして、凸条のファスナー部材３ａ及び凹条のファスナー部材３ｂは、いずれも表側シート部２ａ及び裏側シート部２ｂの幅方向（図１上下方向）に沿って幅全長に亘って設けられている。凸条のファスナー部材３ａは、凹条のファスナー部材３ｂ内に密着状態にかつ離脱可能に嵌合されている。密閉用凹凸ファスナー３として、例えばジップロック（商品名）などのように、雄型のファスナー部材とこれに離脱可能に係合する雌型のファスナー部材からなるものが用いられる。
【００１１】
表示用紙４は、図１に示す例では横に長い長方形状に成形されており、ケース２内に収まる大きさである。表示用紙４はその表示面に表示情報をプリントなどの手段によって表示してある。表示用紙４の表示情報は、表示用紙の表裏両面が表示面であれば、透明な表裏両側のシート部２ａ，２ｂの双方を通じて読み取ることができ、また表面が表示面であれば、表側シート部２ａを通じて読み取ることができる。表示情報としては、提供される主要料理の写真又はイラスト、店主のメッセージ、その他料理の説明文などの案内情報、広告・宣伝ための情報が、さらに提供される料理のメニューなどのデータが含まれる。
【００１２】
表示体１の使用方法を説明する。
図２鎖線に示すようにケース２の開口部２ｃの開口端を所定の力で上下方向に開くと、凸条のファスナー部材３ａと凹条のファスナー部材３ｂとの嵌合状態が解かれ、開口部２ｃが開く。開口部２ｃが開いた状態で、表示用紙４を図１鎖線に示すように開口部からケース２内に差し入れ、実線の位置に達した段階で開口部を閉じ、凸条のファスナー部材と凹条のファスナー部材とを嵌合させて、相互の結合を図る。この状態で、ケース２内の表示用紙４は密閉されるから、ケース上面又は下面に付着した液体がケース２内に浸入することがなく、表示体１の防水機能が確保される。
表示体１の利用例では、レストランやホテルのテーブルなどの卓上に置いてランチョンマット、デスクマットなどとして用いることができ、窓際などに立てておけば宣伝・広告若しくは案内手段又は飾りとして、すなわちディスプレーとして用いることができる。これらの例において、ケース２内の表示用紙４を、表示体１の用途や使用場所に応じた内容の表示情報を表示している表示用紙に差し替える。
【００１３】
この考案に係る飲食店用の表示体の第２の実施形態について図４を参照して説明する。
図示する表示体１１は前記表示体１とその基本構成が共通しているので、共通する構成部分の詳細な説明を省略すると共に、特徴的な構成部分のみを詳細に説明する。
表示体１１の特徴は、ケース１２を縦長の長方形状に形成すると共に、上下各辺に取付け具１５を取り付けて、上記ケースを壁などの保持体に固定状態に取り付けて、表示用紙１４の表示情報を表示可能としたことにある。
取付け具１５はケース１２の上辺の２ケ所に間隔をおいて配置され、その下辺にも上辺側の各取付け具と同じ取付け具を対向位置関係に配置してある。
各取付け具１５は、吸盤１５ａ、挟持体であるクリップ１５ｂ及び吸盤とクリップとの間を接続する支持部材１５ｃからなる。吸盤１５ａは壁などに吸着可能である。クリップ１５ｂはケース１２の上下各辺を挟持可能である。支持部材１５ｃは一端部が吸盤１５ａの背部に、他端部がクリップ１５ｂの端部にそれぞれ連結されている。
表示体１１の使用例としては、壁の壁面やガラスの面などの保持体の保持面に各取付け具１５の吸盤１５ａを吸着させて、ケース１２を上記保持面に貼り付けるように取り付ける。
表示体１１では、ケース１２を大型にすることにより、表示体１１を大型看板のように利用することにより、客の視線を集中させることができ、このことから客の誘引を図ることができる。
取付け具１５として、吸盤１５ａ及びクリップ１５ｂを用いているので、吸盤にあっては保持面へ着脱が容易であり、クリップにあってはケース１２への装着が簡単に行える。
ケース１２、表側シート部１２ａ、開口部１２ｃ、溶着部１２ｄ、密閉用凹凸ファスナー１３及び表示用紙１４は、いずれも表示体１のケース２、表側シート部２ａ、開口部２ｃ、溶着部２ｄ、密閉用凹凸ファスナー３及び表示用紙４にそれぞれ対応している。
【００１４】
この考案に係る飲食店用の表示体の第３の実施形態について図５を参照して説明する。
図示する表示体２１は前記表示体１とその基本構成が共通しているので、特徴的な構成部分のみを詳細に説明し、共通する構成部分の詳細な説明を省略する。
表示体２１の特徴は、複数のケース２２を一列に並べかつ隣接するもの同士を連結具２６によって連結して帯状の表示体部２１ａを構成し、最上段及び最下段に位置している各ケースの端辺に取付け具２５を取り付けると共に、これらの取付け具を利用して表示体部２１ａを保持体に固定した状態で表示可能とすることにある。保持体としては壁の壁面、窓ガラスのガラス面、支柱からなるスタンドや壁面から張り出しているアームなどがある。
連結具２６は上下両端の両クリップ２６ａ間を柔軟性又は可撓性を有する接続部材２６ｂで接続しているものである。上下の各クリップ２６ａは、隣接している各ケース２２の端辺を挟持可能であり、換言すれば、上記端辺を離脱可能に挟持している。
ケース２２、表側シート部２２ａ、開口部２２ｃ、密閉用凹凸ファスナー２３及び表示用紙２４は、いずれも表示体１のケース２、表側シート部２ａ、開口部２ｃ、密閉用凹凸ファスナー３及び表示用紙４にそれぞれ対応している。
取付け具２５は図４に示す表示体１１の取付け具１５と同一構成であり、吸盤２５ａ、クリップ２５ｂ及び支持部材２５ｃは取付け具１５の吸盤１５ａ、クリップ１５ｂ及び支持部材１５ｃにそれぞれ対応している。
表示体２１では、ケース２２を複数連ね、各表示用紙２４毎に異なる表示情報を区別して表示できるので、多量及び多様の表示情報を提供することができ、広告・宣伝が効果的なものとなる。表示体２１では、ケース２２を大型にすることにより、大型看板のように利用することにより、客の視線を集中させることができ、このことから客の誘引を図ることができる。また、表示体２１の表示前に又は表示中に、連なるケース２２の数を増減することにより、表示情報の内容の質又は量を変えることができる。
【００１５】
この考案に係る飲食店用の表示体の第４の実施形態について図６及び図７を参照して説明する。
図示する表示体３１は前記表示体２１とその基本構成が共通しているので、特徴的な構成部分のみを詳細に説明し、共通する構成部分の詳細な説明を省略する。
表示体３１の特徴は、一列に並べた複数（図示の例では３枚）のケース３２で構成された帯状の表示体部３１ａと、同一の構成の表示体部３１ｂとによって形成されている。表示体部３１ａは隣接するケース３２同士を連結具３６によって連結してあり、表示体部３１ｂについても隣接するケース３２同士を連結具３６によって連結してある。表示体部３１ａと表示体部３１ｂとは連結具３６Ａによって接続されている。連結具３６は表示体２１の連結具２６と同一構成であり、上下両端の両クリップ３６ａ及び両クリップを連結する接続部材３６ｂは、前記連結具２６のクリップ２６ａ及び接続部材２６ｂにそれぞれ対応している。
表示体部３１ａと表示体部３１ｂとを連結する連結具３６Ａの構成は、連結具３６のそれと実質的に同一であるが、接続部材３６ｂ１が上記接続部材３６ｂより長く形成されている。
ケース３２、表側シート部３２ａ、開口部３２ｃ、密閉用凹凸ファスナー３３及び表示用紙３４は、いずれも表示体２１のケース２２、表側シート部２２ａ、開口部２２ｃ、密閉用凹凸ファスナー２３及び表示用紙２４にそれぞれ対応している。
表示体３１の使用例について説明すると、図７に示すように表示体３１の連結具３６Ａの接続部材３６ｂ１を中心として、全体をＵ形に折り曲げた状態にしてから、図６に示すように脚立状のスタンド３７の頂部に接続部材３６ｂ１を載せて表示体をスタンドに跨ぐように設置し、各ケース３２の裏側シート部３２ｂを上記スタンドの当て板３７ａに当てる（図６）。
表示体３１では、スタンド３７の両面側に各ケース３２内の表示用紙３４の表示情報が表示されるから、多量の情報を提供することができ、広告・宣伝が効果的なものとなる。
図示の例では、各ケース３２内の表示用紙３４には、それぞれ上段から下段に向けて提供する異なる種類の料理の写真などを表示して、多様な情報を提供することができるので、より一層客の視線集中に伴う誘引を図ることができる。
【００１６】
図示する表示体１，１１，２１，３１によれば、ケース２，１２，２２，３２内は開口部２ｃ，１２ｃ，２２ｃ，３２ｃを開閉する密閉用凹凸ファスナー３，１３，２３，３３で密閉されているので、ケース内への浸水を阻止することができ、防水機能が確保される。また、密閉用凹凸ファスナー３，１３，２３，３３の凸条のファスナー部材（図面では凸条のファスナー部材３ａのみ図示。）と凹条のファスナー部材（図面では凹条のファスナー部材３ｂのみ図示。）とが嵌合・離脱操作によって開口部２ｃの開閉が可能となり、ケース２，１２，２２，３２に対して表示用紙４，１４，２４，３４の出し入れができるから、各種の表示用紙を表示体の使用場所、使用用途に応じて表示体全体を交換することなく適宜変更することができ、便利であると共に交換に伴うコストの削減を図ることができる。
【００１７】
表示体１，１１，２１，３１において、ケース２の表側シート部２ａ，１２ａ，２２ａ，３２ａ及び裏側シート部（図２では裏側シート部２ｂ及び図７では裏側シート部３２ｂのみ図示。）は双方ともに透明である必要がなく、少なくとも表示用紙４，１４，２４，３４の表示面が対応する表側シート部が透明であれば良い。また、ケース２，１２，２２，３２に対する密閉用凹凸ファスナー３，１３，２３，３３の配置位置に関して、ケース２，２２，３２では側辺に限定されず、上下辺のいずれか一方であっても良く、また、ケース１２では上辺に限定されず、側辺であっても良い。
図４に示す表示体１１において、取付け具１５をケース１２の上下の各辺に取り付けてあるが、両側辺のみに、または上辺のみに取り付けたものであっても良い。上辺の場合における取付け具１５はケース１２の吊り下げ具となる。
また、取付け具１５を吸盤１５ａに代えてフック状のもの、リング状のもの、クリップ状のものに置き換えても良い。もちろん、図５に示す表示体２１における取付け具２５についても同様である。
図５に示す表示体２１において、最上段に配置されている取付け具２５を吸盤２５ａに代えてフックのような掛け止め体に置き換えて、表示体部２１ａを吊り下げ可能にしても良い。また、最下段に配置されている取付け具２５は必ずしも取り付けなくても良い。
図６に示す表示体３１において、連結具３６Ａを連結具３６に、又は連結具３６を連結具３６Ａに置き換えても良い。
【符号の説明】
【００１８】
１，１１，２１，３１                表示体
２１ａ，３１ａ，３１ｂ              表示体部
２，１２，２２，３２                ケース
２ａ，１２ａ，２２ａ，３２ａ        表側シート部
２ｂ，３２ｂ                        裏側シート部
２ｃ，１２ｃ，２２ｃ，３２ｃ        開口部
３，１３，２３，３３                密閉用凹凸ファスナー
３ａ                                凸条のファスナー部材
３ｂ                                凹条のファスナー部材
４，１４，２４，３４                表示用紙
１５，２５                          取付け具
２６，３６，３６Ａ                  連結具
２６ａ，３６ａ                      クリップ
２６ｂ，３６ｂ，３６ｂ１            接続部材
３７                                スタンド
【図１】
0003172910.tif 000003
【図２】
0003172910.tif 000004
【図３】
0003172910.tif 000005
【図４】
0003172910.tif 000006
【図５】
0003172910.tif 000007
【図６】
0003172910.tif 000008
【図７】
0003172910.tif 000009